(57)【要約】【課題】水シャワーから吐出される水によって除染するものに比べて、短時間で且つより確実に、汚染物質（Ｂ物質またはＣ物質で汚染された人体）で汚染された人体を除染することができる、除染システムを提供することを課題とする。【解決手段】汚染物質（例えば、ＮＢＣ（ｎｕｃｌｅａｒ、ｂｉｏｌｏｇｉｃａｌ、ｃｈｅｍｉｃａｌ）物質）で汚染された人体を除染する除染システム１であって、汚染物質で汚染された人体を除染室４１に溜められたオゾン水に浸からせることによって、汚染物質で汚染された人体を除染するように構成されるものである。【選択図】図１
2013036822.tif 000002
【特許請求の範囲】
【請求項１】
汚染物質で汚染された人体を除染する除染システムであって、
前記汚染物質で汚染された人体を除染室に溜められたオゾン水に浸からせることによって、前記汚染物質で汚染された人体を除染するように構成される、
除染システム。
【請求項２】
前記除染室内の気体を前記除染室外に排気可能に構成される排気装置を有する、
請求項１に記載の除染システム。
【請求項３】
前記除染室は、前記オゾン水が溜められた除染室内を前記汚染物質で汚染された人が歩行可能に構成される、
請求項１または請求項２に記載の除染システム。
【請求項４】
前記除染室は、前記除染室に溜められたオゾン水中に水流を発生させる水流発生装置を備える、
請求項１から請求項３のうちいずれか一項に記載の除染システム。
【発明の詳細な説明】
【技術分野】
【０００１】
本発明は、種々の汚染物質で汚染された人体を除染する除染システムの技術に関する。
【背景技術】
【０００２】
従来、種々の汚染物質で汚染された人体を除染する除染システムに関する技術は公知となっている。前記種々の汚染物質には、例えば、ＮＢＣ（ｎｕｃｌｅａｒ、ｂｉｏｌｏｇｉｃａｌ、ｃｈｅｍｉｃａｌ）物質がある。Ｎ（ｎｕｃｌｅａｒ）物質による汚染には、核兵器や原発事故等による放射能汚染がある。Ｂ（ｂｉｏｌｏｇｉｃａｌ）物質による汚染には、生物兵器による天然痘ウイルスや炭素菌等の汚染がある。Ｃ（ｃｈｅｍｉｃａｌ）物質による汚染には、化学兵器によるサリンやマスタードガス等の汚染がある。
このような除染システムでは、テント内に配置されたシャワーから吐出される水を掛けることによって汚染物質で汚染された人体を除染する（特許文献１参照）。つまり、このような除染システムでは、水の水流によって汚染物質を人体から剥離するように洗い流して除染する。
【先行技術文献】
【特許文献】
【０００３】
【特許文献１】特開２００２−２５０７９３号公報
【発明の概要】
【発明が解決しようとする課題】
【０００４】
しかしながら、このような除染システムでは、汚染物質で汚染された人体を確実に除染するためには、長時間に亙って水を人体に掛け続けることを要する。
また、このような除染システムでは、人体の汚染された部分に水を掛けなければ当該人体を除染することができないが、人体の汚染された部分に漏れなくシャワーによって水を掛けることは困難であり、人体を十分に除染できていない状態で除染作業を終えてしまうという問題があった。
【０００５】
本発明は以上の如き状況に鑑みてなされたものであり、水シャワーから吐出される水によって除染するものに比べて、短時間で且つより確実に、汚染物質で汚染された人体を除染することができる、除染システムを提供することを課題とする。
【課題を解決するための手段】
【０００６】
本発明の解決しようとする課題は以上の如くであり、次にこの課題を解決するための手段を説明する。
【０００７】
即ち、請求項１においては、汚染物質で汚染された人体を除染する除染システムであって、前記汚染物質で汚染された人体を除染室に溜められたオゾン水に浸からせることによって、前記汚染物質で汚染された人体を除染するように構成されるものである。
【０００８】
請求項２においては、前記除染室内の気体を前記除染室外に排気可能に構成される排気装置を有するものである。
【０００９】
請求項３においては、前記除染室は、前記オゾン水が溜められた除染室内を前記汚染物質で汚染された人が歩行可能に構成されるものである。
【００１０】
請求項４においては、前記除染室は、前記除染室に溜められたオゾン水中に水流を発生させる水流発生装置を備えるものである。
【発明の効果】
【００１１】
本発明の効果として、以下に示すような効果を奏する。
【００１２】
即ち、本発明によれば、シャワーから吐出される水によって除染するものに比べて、短時間で且つより確実に、汚染物質（Ｂ物質またはＣ物質で汚染された人体）で汚染された人体を除染することができる。
【図面の簡単な説明】
【００１３】
【図１】本発明の実施形態に係る除染システムの全体的な構成を示したブロック図。
【図２】本発明の実施形態に係る除染システムの除染部を示した正面模式図。
【図３】同じく平面模式図。
【図４】（１）同じく正面模式図、（２）同じく正面模式図、（３）同じく正面模式図。
【図５】同じく正面模式図。
【図６】同じく正面模式図。
【図７】同じく正面模式図。
【図８】同じく正面模式図。
【図９】同じく正面模式図。
【図１０】除染される人を示した斜視図。
【図１１】同じく斜視図。
【図１２】本発明の実施形態に係る除染システムの除染部を示した正面模式図。
【図１３】同じく斜視模式図。
【図１４】本発明の実施形態に係る除染システムの再生部を示したブロック図。
【図１５】本発明の実施形態に係る除染システムの全体的な構成を示したブロック図。
【図１６】本発明の実施形態に係る除染システムの除染部を示した正面模式図。
【図１７】本発明の実施形態に係る除染システムの除染部を示した正面模式図。
【図１８】本発明の実施形態に係る除染システムの全体的な構成を示したブロック図。
【発明を実施するための形態】
【００１４】
次に、発明の実施形態に係る除染システム１を図１から図１８を用いて説明する。
除染システム１は、種々の汚染物質で汚染された人体を除染するものである。前記種々の汚染物質には、ＮＢＣ（ｎｕｃｌｅａｒ、ｂｉｏｌｏｇｉｃａｌ、ｃｈｅｍｉｃａｌ）物質がある。
除染システム１は、図１に示すように、タンク２と、オゾン水生成装置３と、除染部４と、を備える。
【００１５】
除染システム１のタンク２は、原料水（水）が溜められるものである。タンク２に溜められた原料水は、オゾン水生成装置３に供給される。
除染システム１のオゾン水生成装置３は、配管を介してタンク２に接続される。オゾン水生成装置３は、タンク２から配管を介して供給される原料水からオゾン水を生成するものである。ここで、オゾン水とは、水にオゾン（Ｏ３）を溶解されてなるものである。
オゾン水生成装置３によって生成されたオゾン水は、温度調節装置によって、当該オゾン水を掛けられた人（除染される人）が冷た過ぎるまたは熱すぎる等と感じないような所定の温度に温度調節（例えば、２６度〜４０度に昇温また降温）されて、除染部４に供給される。
【００１６】
除染システム１の除染部４では、汚染物質で汚染された人体の除染がおこなわれる。除染部４は、図２または図３に示すように、除染室４１と、排気装置４２と、を有する。
除染システム１における除染部４の除染室４１は、配管を介してオゾン水生成装置３に接続されて、温度調節装置によって温度が調節されたオゾン水が除染室４１内に溜められるように構成される。
除染部４の除染室４１は、汚染物質で汚染された人が除染室４１内で立った状態で肩までオゾン水に浸ることができるように構成される。
【００１７】
このようにして、除染システム１は、汚染物質で汚染された人体を除染部４の除染室４１に溜められたオゾン水にその肩まで浸からせることによって、当該汚染物質で汚染された人体を除染するように構成される。このため、除染システム１では、汚染物質で汚染された人体のうち除染部４の除染室４１に溜められたオゾン水に浸かっている部分に、より確実にオゾン水を接触させることができる。
また、除染システム１では、人体を汚染する汚染物質がＢ（ｂｉｏｌｏｇｉｃａｌ）物質の場合には、Ｂ物質は、前記汚染物質で汚染された人が浸かっているオゾン水によって殺菌されることとなる。人体を汚染する汚染物質がＣ（ｃｈｅｍｉｃａｌ）物質の場合には、Ｃ物質は、前記汚染物質で汚染された人が浸かっているオゾン水によって分解されることとなる。
このように、除染システム１では、除染部４の除染室４１に溜められたオゾン水に浸かることによって除染がおこなわれるとともに、Ｂ物質が殺菌され、また、Ｃ物質が分解される。
このため、除染システム１によれば、シャワーから吐出される水によって除染するものに比べて、短時間で且つより確実に、汚染物質（Ｂ物質またはＣ物質で汚染された人体）で汚染された人体を除染することができる。
【００１８】
また、除染システム１では、人体を汚染する汚染物質がＮ（ｎｕｃｌｅａｒ）物質の場合には、Ｎ物質は、オゾン水におけるコロイドを凝集する作用によって人体から剥離した後に凝集されることとなる。このため、除染システム１では、除染に用いたオゾン水の排水をろ過する際に、目の細かいフィルタを用いることなく、当該凝集されたＮ物質を容易に捕集することができ、当該排水からＮ物質を取除く処理をより容易におこなうことができる。
除染システム１では、人体を汚染する汚染物質が抵抗性の弱いＢ物質の場合には、Ｂ物質は消毒されて無害化されるので、前記排水に含まれるＢ物質の消毒処理が不要となる。人体を汚染する汚染物質が抵抗性の強いＢ物質の場合には、汚染物質に汚染された人体がオゾン水に浸かってから当該オゾン水が排水されていく過程においてＢ物質の消毒が進行するので、前記排水に含まれるＢ物質のその後の消毒処理を容易におこなうことができる。
除染システム１では、人体を汚染する汚染物質が易分解性のＣ物質の場合は、Ｃ物質は分解されて無害化されるので、前記排水に含まれるＣ物質の分解処理が不要となる。人体を汚染する汚染物質が難分解性のＣ物質の場合には、汚染物質に汚染された人体がオゾン水に浸かってから当該オゾン水が排水される過程においてＣ物質の分解が進行するので、前記排水に含まれるＣ物質のその後の分解処理を容易におこなうことができる。
したがって、除染システム１によれば、Ｎ物質が凝集され、Ｂ物質が消毒され、また、Ｃ物質が分解されるので、水によって除染するものに比べて、前記排水の処理を容易におこなうことができる。
なお、オゾンは短時間で酸素に戻るため、除染システム１では、前記排水に対するオゾンの中和処理は不要である。
【００１９】
除染システム１の除染部４は、まず、汚染物質で汚染された人をオゾン水の溜められていない状態の除染部４の除染室４１内に入らせ（図４（１）参照）、次いで、除染室４１の給水孔４１ａからオゾン水を給水して前記除染室４１内にオゾン水を溜めて汚染物質の除染をおこない（図４（２）参照）、汚染物質の除染が終了すると前記除染室４１に溜められたオゾン水を除染室４１の排水孔４１ｂから排水する（図４（３）参照）、ように構成してもよい。
【００２０】
除染システム１における除染部４の除染室４１は、図５に示すように、除染室４１内に腰掛を設け、汚染物質で汚染された人が除染室４１内で前記腰掛に座った状態で肩までオゾン水に浸ることができるように構成してもよい。
【００２１】
除染システム１における除染部４の排気装置４２は、除染室４１内の気体を除染室４１外に排気可能に構成される。除染部４の排気装置４２は、図２または図３に示すように、ダクト４３と、吸引ファン４４と、排気筒４５と、で構成される。
【００２２】
除染システム１の除染部４における排気装置４２のダクト４３は、除染室４１の側壁から外側に突出するようにして除染室４１の側壁に沿って配置される。除染部４における排気装置４２のダクト４３は、その内部と、除染室４１におけるオゾン水が溜められる部分より上方の部分と、が連通するように構成される。
除染部４における排気装置４２の吸引ファン４４は、ダクト４３から外側に突出するように配置される。除染部４における排気装置４２の吸引ファン４４は、除染室４１内の気体をダクト４３側に吸引可能に構成される。
除染部４における排気装置４２の排気筒４５は、除染室４１外において吸引ファン４４から上方に延出するように配置される。
このように構成される除染部４の排気装置４２では、吸引ファン４４が吸引動作をおこなうことにより、除染室４１内の気体が、ダクト４３側に吸引されて、ダクト４３および吸引ファン４４を介して排気筒４５の上端の開口から排出されることとなる。
【００２３】
以上のようにして、除染システム１の除染部４における排気装置４２は、除染室４１内の気体を除染室４１外に排気する。
このため、除染システム１によれば、汚染物質で汚染された人体の除染をおこなっている際に、通常はオゾン水からはオゾンガスが気散しないが、仮にオゾン水の水面からオゾンガスが気散した場合においても、当該汚染物質で汚染された人が当該オゾンガスを吸引等して影響を受けないように、当該オゾンガスを除染室４１外に排気することができる。
【００２４】
また、除染システム１の除染部４における排気装置４２は、図６に示すように、ダクト４３と、給気ファン４６と、で構成してもよい。
除染システム１の除染部４における排気装置４２のダクト４３は、除染室４１の側壁から外側に突出するようにして除染室４１の側壁に沿って配置される。除染部４における排気装置４２のダクト４３は、その内部と、除染室４１におけるオゾン水が溜められる部分より上方の部分と、が連通するように構成される。除染部４における排気装置４２のダクト４３は、その外側（除染室４１と反対側）の面に、ダクト４３の内部に貫通する排気口を有する。
除染システム１の除染部４における排気装置４２の給気ファン４６は、除染室４１の天井部に配置される。除染部４における排気装置４２の給気ファン４６は、除染室４１外から除染室４１内に空気を供給して、除染室４１内の気体をダクト４３側に押出すことができるように構成される。
このように構成される除染部４の排気装置４２では、給気ファン４６が給気動作をおこなうことにより、除染室４１内の気体が、ダクト４３側に押出されて、ダクト４３の排気口から排出されることとなる。
【００２５】
また、除染システム１の除染部４における排気装置４２は、図７に示すように、ダクト４３と、排気ファン４７と、で構成してもよい。
除染システム１の除染部４における排気装置４２のダクト４３は、除染室４１の側壁から外側に突出するようにして除染室４１の側壁に沿って配置される。除染部４における排気装置４２のダクト４３は、その内部と、除染室４１におけるオゾン水が溜められる部分より上方の部分と、が連通するように構成される。除染部４における排気装置４２のダクト４３は、その外側（除染室４１と反対側）の面に、ダクト４３の内部に貫通する排気口を有する。
除染システム１の除染部４における排気装置４２の排気ファン４７は、ダクト４３の二つの排気口の外側にそれぞれ配置される。除染部４における排気装置４２の排気ファン４７は、除染室４１内の気体をダクト４３側に吸引可能に構成される。
このように構成される除染部４の排気装置４２では、排気ファン４７が排気動作をおこなうことにより、除染室４１内の気体が、ダクト４３側に吸引されて、ダクト４３の排気口（排気ファン４７）から排出されることとなる。
【００２６】
除染システム１の除染部４における排気装置４２は、その排気筒４５の上端の開口、または、そのダクト４３の排気口に、オゾン分解触媒が設けられる構成としてもよい。除染部４における排気装置４２のオゾン分解触媒は、排気装置４２における排気筒４５の上端の開口から排気されるオゾンガス、または、ダクト４３の排気口から排気されるオゾンガスを、酸素に戻すことができるように構成される。
このように構成されることにより、除染システム１では、前記除染部４の除染室４１外にオゾンガスを排気する際に、当該オゾンガスが酸素に戻されることとなる。
また、除染部４における排気装置４２の排気筒４５、または、排気装置４２のダクト４３の排気口に、ヘパフィルターを配置してもよい。
【００２７】
除染システム１における除染部４の除染室４１は、図８に示すように、オゾン水が溜められた除染室４１内を、汚染物質で汚染された人が歩行可能な大きさに構成してもよい。
このように除染部４の除染室４１を構成して、汚染物質で汚染された人にオゾン水が溜められた除染室４１内を歩行させることにより、汚染物質を人体から剥離させることができる。
また、このように除染部４の除染室４１を構成することにより、汚染物質で汚染された複数の人体の除染を同時におこなうことができる。
【００２８】
除染システム１における除染部４の除染室４１は、図９に示すように、除染室４１に溜められたオゾン水中に水流を発生させる水流発生装置４８を備える構成としてもよい。
水流発生装置４８は、除染室４１の内壁に複数台配置される。水流発生装置４８・４８・・・は、これから除染室４１に溜められたオゾン水中に気泡を噴射し、または、オゾン水を噴射すること等により、当該オゾン水中に水流が発生可能に構成される。
このように構成された除染部４の除染室４１では、前記水流が発生するオゾン水に汚染物質で汚染された人が浸かると、当該水流によって汚染物質が人体から剥離されることとなる。
したがって、除染システム１によれば、シャワーから吐出される水によって除染するものに比べて、さらに短時間で且つより確実に、汚染物質で汚染された人体を除染することができる。
【００２９】
除染システム１における除染部４は、除染室４１において汚染物質で汚染された人体を除染する前に、予備除染をおこなう構成としてもよい。
除染部４において予備除染をおこなう構成としては、例えば、水が溜められる水槽を設け、当該水槽の内壁から当該水槽に溜められた水中に気泡を噴射、または、水を噴射する構成がある。そして、このような予備除染の構成では、前記水流が発生する水槽に溜められた水に汚染物質で汚染された人が浸かって、当該水流によって一部の汚染物質を人体から剥離させる。
このように、除染システム１における除染部４は、除染室４１において汚染物質で汚染された人体を除染する前に、予備除染をおこなう構成とすることにより、シャワーから吐出される水によって除染するものに比べて、さらにより確実に、汚染物質で汚染された人体を除染することができる。
【００３０】
汚染物質で汚染された人に、ゴーグル９と口マスク１０とをそれぞれ装着させた状態で、除染システム１の除染部４で汚染物質の除染をおこなうようにしてもよい（図１０参照）。
また、汚染物質で汚染された人に、顔面を覆うようなガスマスク１１を装着させた状態で、除染システム１の除染部４で汚染物質の除染をおこなうようにしてもよい（図１１参照）。
このようにすることにより、通常はオゾン水からはオゾンガスが気散しないが、仮に除染部４の除染室４１内においてオゾン水からオゾンガスが気散した場合においても、汚染物質で汚染された人がオゾンガスを吸引する等によって影響を受けることなく、汚染物質の除染をおこなうことができる。
【００３１】
図１２に示すように、除染システム１における除染部４の除染室４１に溜められたオゾン水の水面に膜部材４９を浮かせた状態で、汚染物質で汚染された人体の除染をおこなってもよい。このとき、膜部材４９は、汚染物質で汚染された人の周辺に配置されて、除染部４の除染室４１に溜められたオゾン水の水面から気散するオゾンガスが汚染物質で汚染された人から離れて除染室４１の内壁側に流れるようにする。
このようにすることにより、汚染物質で汚染された人体の除染をおこなっている際に、通常はオゾン水からはオゾンガスが気散しないが、仮にオゾン水の水面からオゾンガスが気散した場合においても、当該汚染物質で汚染された人が当該オゾンガスを吸引等して影響を受けないようにして、汚染物質の除染をおこなうことができる。
【００３２】
除染システム１における除染部４の除染室４１は、図１３に示すように、汚染物質で汚染された人体のうち首から上の部分を除染室４１外に配置した状態で、当該汚染物質で汚染された人体の除染をおこなうように構成してもよい。
除染部４の除染室４１は、例えば、側部に入口４１ｃを有するとともに、汚染物質で汚染された人体のうち首から上の部分を除染室４１外に配置できるような開口４１ｄを上部に有するような箱状に構成される。
このような構成では、汚染物質で汚染された人が、除染部４の除染室４１における側部の入口４１ｃから除染室４１内に入って、上部の開口４１ｄから頭部を除染室４１の外に出す。そして、除染部４の除染室４１における側部の入口４１ｃを密封した状態で、除染室４１内にオゾン水を溜めて、汚染物質で汚染された人体の除染をおこなう。
このように構成することにより、汚染物質で汚染された人体の除染をおこなっている際に、通常はオゾン水からはオゾンガスが気散しないが、仮にオゾン水の水面からオゾンガスが気散した場合においても、当該汚染物質で汚染された人が当該オゾンガスを吸引等して影響を受けないようにして、汚染物質の除染をおこなうことができる。
【００３３】
除染システム１は、図１に示すように、再生部５を備える。
除染システム１の再生部５では、除染部４で除染に用いたオゾン水の排水が原料水に再生される。再生部５は、図１４に示すように、粗フィルタ５１と、活性炭吸着フィルタ５２と、逆浸透膜浄化装置５３と、汚れセンサ５４と、を有する。
【００３４】
除染システム１における再生部５の粗フィルタ５１は、前記排水から粒経の大きい不純物（ゴミ、および、前記凝集されたＮ物質等）を取除くものである。
再生部５の活性炭吸着フィルタ５２は、粗フィルタ５１の下流側に配置される。再生部５の活性炭吸着フィルタ５２は、前記粗フィルタ５１で取除けなかった粒経の小さい不純物を前記排水から取除くものである。
再生部５の逆浸透膜浄化装置５３は、活性炭吸着フィルタ５２の下流側に配置される。再生部５の逆浸透膜浄化装置５３は、前記活性炭吸着フィルタ５２で不純物が取除かれた排水を、原料水として再利用できるような水質に浄化する。
再生部５の汚れセンサ５４は、前記逆浸透膜浄化装置５３によって浄化された排水の浄化度合（汚れ度合）を検知するものである。
【００３５】
このようにして、除染システム１の再生部５では、再生部５の粗フィルタ５１および活性炭吸着フィルタ５２によって前記排水から不純物が取除かれ、再生部５の逆浸透膜浄化装置５３によって前記不純物が取除かれた排水が浄化され、再生部５の汚れセンサ５４によって前記浄化された排水の浄化度合（汚れ度合）が検知される。
そして、再生部５の汚れセンサ５４によって検知された排水の浄化度合が所定の基準値を満たしている場合には、当該排水は、タンク２に供給されて原料水として再利用される。
【００３６】
以上のようにして、除染システム１では、前記排水が、再生部５において原料水に再生されて、タンク２に供給されて再利用される。
このため、除染システム１では、多量の原料水を確保することを要さずに、汚染物質で汚染された人体の除染を多量におこなうことができる。
したがって、除染システム１によれば、原料水を確保（補給）することが困難な状態でも、汚染物質で汚染された多量の人体の除染をおこなうことができる。
【００３７】
なお、除染システム１における再生部５の汚れセンサ５４によって検知された排水の浄化度合が所定の基準値を満たしていない場合には、当該排水は、廃水として廃水槽６に供給される。
そして、前記廃水槽６に供給された廃水は、その下流側の廃水処理装置７で廃水処理がおこなわれて、廃棄されることとなる。
【００３８】
また、除染システム１は、図１５に示すように、オゾン水に促進酸化処理をおこなう促進酸化処理部８を備えて構成してもよい。
このようにオゾン水に促進酸化処理をおこなう促進酸化処理部８を備える構成とすることにより、除染システム１では、オゾン水による汚染物質の除染効果が高まるため、シャワーから吐出される水によって除染するものに比べて、汚染物質（Ｂ物質またはＣ物質）で汚染された人体をさらに容易に除染することができる。
また、このようにオゾン水に促進酸化処理をおこなう促進酸化処理部８を備える構成とすることにより、除染システム１では、オゾン水内においてＯＨラジカル等の活性種が生成され、オゾン水によるコロイドを凝集する作用等が向上する。このため、除染システム１では、人体を汚染する汚染物質がＮ物質の場合には、より確実にＮ物質が凝集されることとなり、前記排水をろ過して排水処理をおこなう際に、より容易にＮ物質を捕集することができ、当該排水からＮ物質を取除く処理をより容易におこなうことができる。
【００３９】
除染システム１の促進酸化処理部８においてオゾン水に促進酸化処理をおこなう方法として、オゾン水に添加剤（例えば、過酸化水素、または、界面活性剤等）を添加するものがある。このように促進酸化処理部８においてオゾン水に促進酸化処理をおこなう場合には、例えば、除染部４の除染室４１に溜められるオゾン水に添加装置８１によって前記添加剤を添加えるようにする（図１６参照）。
また、促進酸化処理部８においてオゾン水に促進酸化処理をおこなう方法として、オゾン水に紫外線を照射するものがある。このように促進酸化処理部８においてオゾン水に促進酸化処理をおこなう場合には、例えば、除染部４の除染室４１の内壁に紫外線ランプ８２・８２を設け、当該紫外線ランプ８２・８２から除染室４１に溜められたオゾン水に紫外線を照射するようにする（図１７参照）。
【００４０】
除染システム１は、オゾン水を循環させて再利用するように構成してもよい。
除染システム１は、図１８に示すように、タンク２と、オゾン水生成装置３と、除染部４と、ろ過部６０と、オゾン濃度計測装置７０と、を備え、循環ポンプ（不図示）によってオゾン水が循環するように構成される。除染システム１は、除染部４の除染室４１の排水孔４１ｂからオゾン水生成装置３を経由して除染室４１の給水孔４１ａに亘るように配管が設けられて、除染室４１から排水されるオゾン水がオゾン水生成装置３を介して再び除染室４１に給水されるように構成される。
【００４１】
除染システム１のろ過部６０は、除染部４（除染室４１）の下流側、且つ、オゾン水生成装置３の上流側に配置される。ろ過部６０は、除染部４の除染室４１の排水孔４１ｂから排水されるオゾン水をろ過して、当該オゾン水から不純物を取除くことができるように構成される。ろ過部６０は、ゴミ取フィルタ６１と、微粒子フィルタ６２とを有する。
ろ過部６０のゴミ取フィルタ６１は、除染部４の除染室４１の排水孔４１ｂから排水されるオゾン水から粒経の大きいゴミ等の不純物を取除くものである。
ろ過部６０の微粒子フィルタ６２は、ゴミ取フィルタ６１の下流側に配置され、ゴミ取フィルタ６１で取除けなかった粒経の小さい不純物を前記オゾン水から取除くものである。
ろ過部６０によって不純物が取除かれたオゾン水は、オゾン水生成装置３に供給される。
【００４２】
除染システム１のオゾン濃度計測装置７０は、除染部４の除染室４１およびオゾン水生成装置３に接続される。
オゾン濃度計測装置７０は、除染部４の除染室４１に溜められたオゾン水のオゾン濃度を計測して、当該オゾン水の濃度に関する情報をオゾン水生成装置３に送信するように構成される。
【００４３】
除染システム１は、前記オゾン濃度計測装置７０からのオゾン水の濃度に関する情報に基づいて、オゾン水生成装置３から除染部４の除染室４１に供給するオゾン水の濃度を決定するように構成される。
オゾン水生成装置３は、前記除染部４の除染室４１に溜められたオゾン水のオゾン濃度が所定の濃度より低い場合には、ろ過部６０を介して供給されるオゾン水の濃度を前記所定の濃度まで高くして、当該濃度を高くしたオゾン水を除染部４の除染室４１に供給するように構成される。
【００４４】
以上のようにして、除染システム１は、オゾン水を循環させて再利用するように構成される。
このため、除染システム１では、多量の原料水を確保することを要さずに、汚染物質で汚染された人体の除染を多量におこなうことができる。
したがって、除染システム１によれば、原料水を確保（補給）することが困難な状態でも、汚染物質で汚染された多量の人体の除染をおこなうことができる。
【符号の説明】
【００４５】
１    除染システム
２    タンク
３    オゾン水生成装置
４    除染部
５    再生部
４１  除染室
４２  排気装置
【図１】
2013036822.tif 000003
【図２】
2013036822.tif 000004
【図３】
2013036822.tif 000005
【図４】
2013036822.tif 000006
【図５】
2013036822.tif 000007
【図６】
2013036822.tif 000008
【図７】
2013036822.tif 000009
【図８】
2013036822.tif 000010
【図９】
2013036822.tif 000011
【図１０】
2013036822.tif 000012
【図１１】
2013036822.tif 000013
【図１２】
2013036822.tif 000014
【図１３】
2013036822.tif 000015
【図１４】
2013036822.tif 000016
【図１５】
2013036822.tif 000017
【図１６】
2013036822.tif 000018
【図１７】
2013036822.tif 000019
【図１８】
2013036822.tif 000020